(57)【要約】【課題】マグネットの破損、脱落を防止するねじ締め工具の提供を目的とする。【解決手段】回転駆動源の駆動を受けて回転する駆動軸に連結可能なビットガイドと、このビットガイドに内包され、かつビットガイドと一体に回転可能に連結されたビット部と、前記ビットガイドの先端に取り付けられ、ビットガイドから突出する前記ビット部を挿通させる中空状のマグネットガイドと、このマグネットガイドに収容され、マグネットガイドを挿通するビット部を囲むように配置されたマグネットとから成ることを特徴とするねじ締め工具による。また、マグネットはマグネットガイドとビットガイドに挟持されることが好ましい。これによるとビット部とねじとの係合時にマグネットがねじの頭部と接しないためマグネットが破損し難い。また、マグネットがマグネットガイドとビットガイドに挟持されるため、軸方向の移動、脱落が生じにくい。【選択図】図１
2020049627.tif 000002
【特許請求の範囲】
【請求項１】
回転駆動源の駆動を受けて回転する駆動軸に連結可能なビットガイドと、
このビットガイドに内包され、かつビットガイドと一体に回転可能に連結されたビット部と、
前記ビットガイドの先端に取り付けられ、ビットガイドから突出する前記ビット部を挿通させる中空状のマグネットガイドと、
前記マグネットガイドに収容され、マグネットガイドを挿通するビット部を囲むように配置されたマグネットと
から成ることを特徴とするねじ締め工具。
【請求項２】
マグネットは、マグネットガイドとビットガイドに挟持されることを特徴とする請求項１記載のねじ締め工具。
【請求項３】
マグネットガイドは、非磁性材料で構成されていることを特徴とする請求項１または請求項２に記載のねじ締め工具。
【請求項４】
マグネットガイドのマグネットを挟持する部分が、薄く形成されることを特徴とする請求項１ないし請求項３の何れかに記載のねじ締め工具。
【発明の詳細な説明】
【技術分野】
【０００１】
本発明は、ねじを締め付ける際に用いるねじ締め工具に関する。
【背景技術】
【０００２】
ねじを締め付ける際には、ねじの駆動部に係合し、ねじに締付トルクを伝達するためのねじ締め工具が用いられる。このねじ締め工具としては、例えば特許文献１に示されるねじ締め工具が知られている。この従来のねじ締め工具はその先端にねじ７を吸着するマグネット９１を有しており、ビット部９２がねじ７の駆動部に係合する時、ねじ７が磁力によって吸着され、締付位置までの移動中に落下し難くなる特徴がある。
【先行技術文献】
【特許文献】
【０００３】
【特許文献１】特開平８−３３６７３１
【発明の概要】
【発明が解決しようとする課題】
【０００４】
しかしながら、従来のねじ締め工具は先端部にマグネット９１を固定しているため、ビット部９２がねじ７の駆動部に係合する際、ねじ７の頭部がマグネット９１の端面に接触する。このため、係合時の衝撃により、当該マグネット９１が破損するという問題が生じていた。また、ねじ締め工具の先端部にマグネット９１を固定する際に使用する接着剤の劣化等により、マグネット２１が軸方向に移動、脱落する問題があった。
【０００５】
本発明は、従来のねじ締め工具が有していた課題を解決しようとするものであり、マグネットの破損、脱落を防止するねじ締め工具の提供を目的とする。
【課題を解決するための手段】
【０００６】
回転駆動源の駆動を受けて回転する駆動軸に連結可能なビットガイドと、このビットガイドに内包され、かつビットガイドと一体に回転可能に連結されたビット部と、前記ビットガイドの先端に取り付けられ、ビットガイドから突出する前記ビット部を挿通させる中空状のマグネットガイドと、このマグネットガイドに収容され、マグネットガイドを挿通するビット部を囲むように配置されたマグネットとから成ることを特徴とするねじ締め工具による。また、マグネットはマグネットガイドとビットガイドに挟持されることが好ましい。さらに、マグネットガイドは、非磁性材料で構成されていること、マグネットガイドのマグネットを挟持する部分が、薄く形成されていることが好ましい。
【発明の効果】
【０００７】
本発明のねじ締め工具は、マグネットがマグネットガイド内に収容されているため、ねじ締め工具先端から露出しない。このため、ビット部とねじの駆動部を係合させる時、ねじの頭部がマグネットの端面に接触せず、従来のねじ締め工具で生じていたマグネットの破損が低減する。また、マグネットガイドとビットガイドとがマグネットを挟む構造となっており、マグネットの軸線方向への移動、脱落を防止する。さらに、マグネットガイドに非磁性材料を用いることで、マグネットの磁界に影響を与え難く、ねじを強く吸着する。
【図面の簡単な説明】
【０００８】
【図１】本発明に係るねじ締め工具の構造を示す要部拡大一部切欠断面図である
【図２】本発明に係るねじ締め工具とねじの係合状態を示す要部拡大一部切欠断面図である。
【図３】従来のねじ締め工具の構造を示す要部拡大一部切欠断面図である。
【発明を実施するための形態】
【０００９】
以下、本発明の一実施形態を図面に基づいて説明する。図１および、図２において、１はねじ締め工具であり、一端はモータ等の駆動を受けて回転する駆動軸８に螺合されている。このねじ締め工具１は、前記駆動軸８に螺合されたビットガイド２と、このビットガイド２に内包、保持され、ねじ７の駆動部に係合可能なビット部３と、前記ビットガイド２の先端に螺合された中空状のマグネットガイド４と、このマグネットガイド４に収容されるマグネット５とから構成されている。
【００１０】
前記ビットガイド２は、ＳＣＭ４１５等の材料からなり、一端には前記駆動軸８と螺合するめねじが形成された穴２１が形成されている。この穴２１には同一軸線上に横断面六角形状の六角穴２２が連通しており、この六角穴２２はその外接円の直径が前記穴２１の直径より小さく、かつビットガイド２の他端まで貫通するように構成されている。また、ビットガイド２の他端部には、前記マグネットガイド４が螺合するおねじ２３が形成されている。
【００１１】
前記ビット部３は、クロムバナジウム等の材料を六角柱形状に成形して成り、その一端から三分の一程度のところに軸線と直行する方向に穴が貫通形成されており、この穴には、ピン６がその両端を突出させて圧入固定されている。
【００１２】
前記ビット部３の六角柱形状部分は、前記ビットガイド２の六角穴２２に合致する形状であり、ここをビットガイド２の六角穴２２に挿通させることで、ビット部３は、ビットガイド２と一体に回転可能に構成されている。ビット部３は、ピン６が前記ビットガイド２の穴２１と六角穴２２の境界にできた段部に係止することで、その先端部がビットガイド２の他端から適度に突出した状態で抜け止めされている。また、ビット部３の後端には、ビットガイド２が螺合する駆動軸８が当接しており、これにより、ビット部３のビットガイド２一端側への移動も規制するように構成されている。すなわちピン６の係止と駆動軸８による規制とにより、ビット部３はビットガイド２内で軸方向の移動を規制され保持されるようになっている。
【００１３】
前記マグネットガイド４は、ＳＵＳ３０４等の非磁性材料からなり、一端には、ビットガイド２のおねじ２３と螺合するめねじ４１が形成されている。このめねじ４１の奥には、マグネット収容部４２が形成されており、ここには環状のマグネット５が収容されている。このマグネット収容部４２の奥には、前記ビット部３を挿通させる穴が他端に貫通して設けられており、この穴を通じてビット部３がマグネットガイド４の他端から適度に突出するように構成されている。これにより、ビット部３がねじ７と係合可能で、かつこれらが係合すると、ねじ７の頭部がマグネットガイド４に当接可能に構成されている。
【００１４】
前記マグネット収容部４２は、内壁を段付きにすることにより成形され、マグネット５を支持する底部４３を備えている。この底部４３により、ねじ７がマグネット５に接することがなくなる。また、マグネット５は、底部４３とビットガイド３とに挟持される構成であり、このためマグネット５の軸方向の移動、脱落を防止することができる。
【００１５】
前記マグネット５は、環状の永久磁石であり、軸線方向にＳ極とＮ極が分けられる。また、マグネット５の内径は、ビット部２の外接円の直径より大きく構成されており、ビット部２がマグネット５に接せずに挿通できるように構成されている。
【００１６】
次に本発明に係るねじ締め工具１の作用を述べる。図２に示すように、ビット部２がねじ７の駆動部に係合すると、ねじ締め工具１の先端には、ねじ７がマグネット５の磁力で吸着保持される。これにより、ねじ７を落下させずにワークの締結位置まで移動させることができる。締付位置まで移動した後、モータの駆動によりねじ締め工具１を回転させると、ビットガイド３と一体にビット部２が回転するため、ワークにねじ７を締め付けることができる。その際、マグネットガイド４が係合時の衝撃や締結中の摩擦等からマグネット５を保護するため、マグネット５の破損が低減する。また、マグネット５は、マグネットガイド４の底部４３とビットガイド２に挟持される構成となっているため、マグネット５が軸方向へ移動、脱落し難くなる。さらに、マグネット５の固定に接着材等を使用しないため、マグネット５の交換がし易くなる。
【００１７】
マグネットガイド４は、ＳＵＳ３０４材等の非磁性材料で構成されており、マグネット５の磁界に影響を与えにくい。このため、マグネットガイド４越しでも、マグネット５がねじ７を吸着する力が小さくなり難く、ねじ７を落下させ難くなる。また、マグネットガイド４の外周に働く磁力を抑制でき、マグネットガイド４の外周に不要な鉄製部品等が付着することを防止できる。さらに、マグネットガイド４のねじ７との接触部分である底部４３の厚みを薄く形成することで、マグネット５とねじ７の距離を近づけることができ、マグネット５にねじ７を強く吸着し、ねじ７を落下させ難くなる。なお、前記底部４３の厚みは0.1ｍｍから0.5ｍｍの範囲であればよく、本実施形態においては0.2ｍｍとしている。
【００１８】
なお、本発明に係るねじ締め工具は、前述したものに限定するものではなく、発明の趣旨を逸脱しない範囲で種々の変更が可能である。例えば、ビット部３は、四角柱形状に変更することや、ビット部３の先端部を十字穴付きねじと係合可能に変更すること等、使用するねじの大きさ、駆動部の形状に合わせて変更することが可能である。また、マグネット５は平板形状のものを複数個用い、これらがビット部３を囲むように配置する等、形状や配置を変更しても得られる効果は同様である。さらに、マグネットガイド４もマグネット収容部４２の位置や深さを変更することや、底部４３の厚さをマグネット５の磁力の強さに合わせて変更してもよい。そのうえ、マグネットガイド４は、ＳＵＳ３０４以外の樹脂やアルミニウム等の他の非磁性材料で構成してもよく、あるいは鋼材等の磁性材料で構成してもよい。
【符号の説明】
【００１９】
１  ねじ締め工具
２  ビットガイド
３  ビット部
４  マグネットガイド
５  マグネット
６  ピン
７  ねじ
８  駆動軸
【図１】
2020049627.tif 000003
【図２】
2020049627.tif 000004
【図３】
2020049627.tif 000005